(57)【要約】【課題】可搬型のＦＰＤを用いる放射線画像撮影システムにおいて、撮影室間を移動しても撮影により取得した放射線画像データとコンソールとの対応付けを容易に行うことが可能な放射線画像撮影システムを提供する。【解決手段】位置検出手段が検出した放射線画像検出装置６の位置情報に基づき対応するコンソール７を特定し、特定したコンソール７に当該放射線画像検出装置６のカセッテＩＤに対応付けられている撮影オーダ情報を登録させる放射線画像撮影システムとする。【選択図】図４
2009204671.tif 000002
【特許請求の範囲】
【請求項１】
放射線照射装置から照射された放射線に基づいて撮影を行い放射線画像データを取得する撮像部と、前記撮像部で撮影した複数の放射線画像データを記憶可能な記憶部と、を備え、識別情報として識別ＩＤを付与された可搬型の放射線画像検出装置と、
前記放射線画像検出装置で取得した放射線画像データを表示する表示部を備え、撮影オーダ情報を、該撮影オーダ情報に基づく撮影に使用する放射線画像検出装置の識別ＩＤと、対応付けて登録可能な複数の制御端末と、
前記放射線画像検出装置の位置を検出する位置検出手段と、
前記放射線画像検出装置と前記制御端末とを通信可能とする通信手段と、
複数の撮影オーダ情報を記憶し、前記位置検出手段が検出した前記放射線画像検出装置の位置情報に基づき対応する前記制御端末を特定し、特定した前記制御端末へ該放射線画像検出装置の識別ＩＤに対応付けられている撮影オーダ情報を登録させる管理手段と、
を有することを特徴とする放射線画像撮影システム。
【請求項２】
前記通信手段は、無線通信により通信する無線通信手段であり、
前記位置検出手段は前記放射線画像検出装置に設けられており、
前記放射線画像検出装置は、前記無線通信手段により前記位置検出手段が検出した位置情報を前記管理手段に送信することを特徴とする請求項１に記載の放射線画像撮影システム。
【請求項３】
前記放射線画像検出装置は、撮影した放射線画像データを前記記憶部に記憶する毎に前記位置情報を送信することを特徴とする請求項２に記載の放射線画像撮影システム。
【請求項４】
前記管理手段は、
前記放射線画像検出装置の前記記憶部に記憶されている全ての放射線画像データが、登録されている前記制御端末へ送信されたと判断することにより、該制御端末に対する登録の取消、及び該放射線画像検出装置を位置情報の管理を行わない位置情報非管理対象とすることを特徴とする請求項１乃至３のいずれかに記載の放射線画像撮影システム。
【請求項５】
前記放射線画像検出装置は対応付けられた前記制御端末に、取得した放射線画像データを識別ＩＤとともに送信することを特徴とする請求項１乃至３のいずれかに記載の放射線画像撮影システム。
【請求項６】
放射線照射装置から照射された放射線に基づいて撮影を行い放射線画像データを取得する可搬型の放射線画像検出装置と、
前記放射線画像検出装置で取得された放射線画像データを表示する表示部を備えた複数の制御端末と、
前記制御端末と前記放射線画像検出装置の対応付けを行う管理手段と、
前記放射線画像検出装置と前記制御端末とを無線通信を介して通信する無線通信手段と、
前記放射線画像検出装置の位置を検出する位置検出手段であって、前記無線通信手段により無線通信可能な地理的領域を分割した複数のセル領域のいずれかのセル領域内に該放射線画像検出装置が存在するか否かを検出する位置検出手段と、
を有し、
前記管理手段は、前記位置検出手段によりいずれかのセル領域内に前記放射線画像検出装置が存在するか否かを検出し、検出した結果に基づいて該放射線画像検出装置を該セル領域に関連づけている前記制御端末に対応付けを行い、
前記放射線画像検出装置は対応付けられた前記制御端末に、取得した放射線画像データを送信することを特徴とする放射線画像撮影システム。
【請求項７】
前記セル領域は撮影を行う撮影室に対応しており、
前記撮影室に設けられた無線アクセスポイントを有し、
前記位置検出手段は、前記無線アクセスポイントが受信した前記放射線画像検出装置からの電波強度により位置検出を行うことを特徴とする請求項６に記載の放射線画像撮影システム。
【発明の詳細な説明】
【技術分野】
【０００１】
本発明は放射線画像撮影システムに関し、無線通信を行う可搬型の放射線画像検出装置を用いる放射線画像撮影システムに関する。
【背景技術】
【０００２】
医療診断の場においては、放射線画像をデジタルデータとして取り扱うことのできるＣＲ（Ｃｏｍｐｕｔｅｄ  Ｒａｄｉｏｇｒａｐｈｙ）システムが実用化されている。このＣＲシステムは、ＣＲカセッテに内蔵された蛍光体プレートを励起光で走査することにより放射線画像データを読み取る読取装置と、当該読取装置で読み取られた放射線画像データを取得する制御装置（コンソールともいわれる）とが接続されて構成されている。そして、放射線撮影室で放射線が照射されたＣＲカセッテを読取装置で読み取り、得られた放射線画像データを制御装置に送信して表示することで、放射線技師は最適な放射線画像データが得られたか否かを確認することができる。
【０００３】
このＣＲシステムにおいては、一般的に、患者情報（患者の氏名、年齢など）や撮影情報（撮影日時、撮影部位、撮影方向など）などが含まれた撮影オーダ情報と呼ばれる指示情報をあらかじめ生成しておき、一の撮影オーダ情報とＣＲカセッテの識別情報である一のカセッテＩＤとを対応付けて登録するワークフローが用いられている（例えば、特許文献１参照）。
【０００４】
また一方で近年、被検体に放射線を照射し、被検体を透過した放射線を検出して放射線画像を得る方法として、デジタル方式の放射線画像検出装置が用いられている。このような放射線画像検出装置としては、いわゆるＦＰＤ（Ｆｌａｔ  Ｐａｎｅｌ  Ｄｅｔｅｃｔｏｒ）がある。
【０００５】
ＦＰＤの一例としては、基板上に複数の検出素子を２次元的に配列し、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものがある。このようなＦＰＤは撮影直後に放射線画像を得られるという即時性を有している。
【０００６】
このようなＦＰＤで、特許文献１で用いられたようなワークフローを用いても効率的な撮影が行えるわけではない。また一方、情報利用の利便性や各種処理の迅速性の観点から、患者診断情報や会計情報を一元管理するシステムとしてＨＩＳ（Ｈｏｓｐｉｔａｌ  Ｉｎｆｏｒｍａｔｉｏｎ  Ｓｙｓｔｅｍ）や、放射線科内の撮影オーダ等を管理するシステムとしてＲＩＳ（Ｒａｄｉｏｌｏｇｙ  Ｉｎｆｏｒｍａｔｉｏｎ  Ｓｙｓｔｅｍ）等が導入されている。これらにおいては、各種の放射線画像撮影装置や撮影装置の制御端末等は、病院内に配置されたＬＡＮ（Ｌｏｃａｌ  Ａｒｅａ  Ｎｅｔｗｏｒｋ）等のネットワークを介してＲＩＳやＨＩＳと接続されている。
【０００７】
特許文献２においては、このような病院内のネットワークに、複数のコンソール（制御端末）と通信機能を備えた複数のＦＰＤとを接続させた放射線画像撮影システムが開示されている。特許文献２に記載の放射線画像撮影システムは、放射線技師や医師等の操作者による画像確認の効率を向上させるために、撮影前にあらかじめコンソールとＦＰＤを対応付けておき、撮影後に、あらかじめ対応付けられたコンソールにＦＰＤで取得した放射線画像を送信するものである。
【０００８】
特許文献３においては、無線通信部を設けた可搬のカセッテ型ＦＰＤ（以下、可搬型のＦＰＤという）と撮影室に配置した無線中継器を用いて、複数のコンソールと複数のＦＰＤを接続させた放射線画像撮影システムが開示されている。特許文献３に記載の放射線画像撮影システムでは、ＦＰＤで撮影する際に、放射線画像データに撮影を行った操作者ＩＤが対応付けられる。そして撮影者は、放射線撮影により得た画像を表示するコンソールを操作する際に操作者ＩＤを登録し、ＦＰＤは、その登録した操作者ＩＤと一致する操作者ＩＤと対応付けられた放射線画像データを当該コンソールに送信するものである。このようにすることにより撮影者が、複数のコンソール間を移動しながら繰り返し撮影を行うような場合でも、放射線撮影により得た放射線画像データを、撮影者が現在使用しているコンソールで確認できるため、放射線撮影の撮影効率が高められる。
【特許文献１】特開２００２−１５９４７６号公報
【特許文献２】国際公開第２００６／１０９５５１号パンフレット
【特許文献３】国際公開第２００５／０９６９４４号パンフレット
【発明の開示】
【発明が解決しようとする課題】
【０００９】
可搬型のカセッテ型ＦＰＤでは複数枚の撮影を連続して行うことができる。連続して撮影を行うような場合に、撮影室を複数跨いで撮影を行うような場合には、特許文献２に開示されている放射線画像撮影システムでは最初に対応付けを行ったコンソールに戻る必要があり、そして当該コンソールは一般的には最初の撮影室に近い場所に設けられており、移動先の撮影室からは遠い場所に設けられている。このような場合には遠いコンソールまで移動しなければ画像データの確認や撮影オーダとの対応付けができないことになる。
【００１０】
また特許文献３に開示されている放射線画像撮影システムでは、撮影室を跨いで撮影を行った場合に、最後に撮影を行った撮影室に近いコンソールで操作者ＩＤとコンソール対応付けの解除及び再登録の操作を行わなければならず操作者にとって煩わしい操作を要求するという問題があった。
【００１１】
本願発明は上記問題に鑑み、可搬型のＦＰＤを用いる放射線画像撮影システムにおいて、撮影室間を移動しても撮影により取得した放射線画像データとコンソールとの対応付けを容易に行うことが可能な放射線画像撮影システムを提供することを目的とする。
【課題を解決するための手段】
【００１２】
上記の目的は、下記に記載する発明により達成される。
【００１３】
１．放射線照射装置から照射された放射線に基づいて撮影を行い放射線画像データを取得する撮像部と、前記撮像部で撮影した複数の放射線画像データを記憶可能な記憶部と、を備え、識別情報として識別ＩＤを付与された可搬型の放射線画像検出装置と、
前記放射線画像検出装置で取得した放射線画像データを表示する表示部を備え、撮影オーダ情報を、該撮影オーダ情報に基づく撮影に使用する放射線画像検出装置の識別ＩＤと、対応付けて登録可能な複数の制御端末と、
前記放射線画像検出装置の位置を検出する位置検出手段と、
前記放射線画像検出装置と前記制御端末とを通信可能とする通信手段と、
複数の撮影オーダ情報を記憶し、前記位置検出手段が検出した前記放射線画像検出装置の位置情報に基づき対応する前記制御端末を特定し、特定した前記制御端末へ該放射線画像検出装置の識別ＩＤに対応付けられている撮影オーダ情報を登録させる管理手段と、
を有することを特徴とする放射線画像撮影システム。
【００１４】
２．放射線照射装置から照射された放射線に基づいて撮影を行い放射線画像データを取得する可搬型の放射線画像検出装置と、
前記放射線画像検出装置で取得された放射線画像データを表示する表示部を備えた複数の制御端末と、
前記制御端末と前記放射線画像検出装置の対応付けを行う管理手段と、
前記放射線画像検出装置と前記制御端末とを無線通信を介して通信する無線通信手段と、
前記放射線画像検出装置の位置を検出する位置検出手段であって、前記無線通信手段により無線通信可能な地理的領域を分割した複数のセル領域のいずれかのセル領域内に該放射線画像検出装置が存在するか否かを検出する位置検出手段と、
を有し、
前記管理手段は、前記位置検出手段によりいずれかのセル領域内に前記放射線画像検出装置が存在するか否かを検出し、検出した結果に基づいて該放射線画像検出装置を該セル領域に関連づけている前記制御端末に対応付けを行い、
前記放射線画像検出装置は対応付けられた前記制御端末に、取得した放射線画像データを送信することを特徴とする放射線画像撮影システム。
【発明の効果】
【００１５】
本発明によれば、可搬型のＦＰＤを用いる放射線画像撮影システムにおいて、撮影室間を移動しても撮影により取得した放射線画像データとコンソールとの対応付けを容易に行うことが可能な放射線画像撮影システムを提供することが可能となる。
【発明を実施するための最良の形態】
【００１６】
本発明を実施の形態に基づいて説明するが、本発明は該実施の形態に限られない。
【００１７】
図１は、本実施形態における放射線画像撮影システム１の概略構成を示す図である。
【００１８】
放射線画像撮影システム１は、図１に示すように、放射線撮影に関する情報を管理する管理サーバ２と、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６により生成された放射線画像データに画像処理を行うコンソール７とがネットワークＮを通じて接続されて構成されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。なお、本実施形態においてはコンソール７が「制御端末」として機能し、管理サーバ２が「管理手段」として機能する。
【００１９】
１００ａ、１００ｂ、１００ｃは撮影室である。撮影室１００ａと撮影室１００ｂ及び１００ｃは同様の構成をしており、以下これらを総称して単に撮影室１００とも称して説明する。撮影室１００にはそれぞれ放射線照射装置３、撮影操作装置４、無線通信を行うアクセスポイント５、当該アクセスポイントと接続されているルータ９を備えている。なお当該ルータ９には、例えばＲＦＣ１５４１準拠のＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を担わせている。
【００２０】
ルータ９により撮影室１００ａ、１００ｂ、１００ｃ及びその他の院内ネットワークは、それぞれサブネットワークを構成する。
【００２１】
コンソール７ａは地理的領域としての撮影室１００ａ、コンソール７ｂは撮影室１００ｂ、コンソール７ｃは撮影室１００ｃにそれぞれ対応付けられている。以下各コンソールを総称して単にコンソール７ともいう。また撮影室１００それぞれには、アクセスポイント５が備え付けられており、各撮影室１００内においてはそれぞれのアクセスポイント５からネットワークＮを経由して各コンソール７と通信を行う。
【００２２】
放射線照射装置３は、臥位撮影台１１に横たわっている被写体である患者１２に対して放射線を照射するようになっており、臥位撮影台１１の下方には、放射線画像検出装置６を装着する検出装置装着口１１ａが設けられている。放射線照射装置３は、撮影操作装置４により制御されて所定の撮影条件で放射線撮影を行うようになっている。なお放射線照射装置３と検出装置装着口１１ａに装着した放射線画像検出装置６との撮影タイミングの同期は、両者間でアクセスポイント５を経由した無線通信により行うようにしてもよい。
【００２３】
アクセスポイント５は、放射線照射装置３を備えた撮影室の所定領域内で放射線画像検出装置６とコンソール７とが無線通信する際に、これらの通信を中継する機能をもつ。なお、無線通信としては無線ＬＡＮ（例えば、ＩＥＥＥ８０２．１１ａ／ｂ／ｎ準拠の通信方式）により行う例について説明するが、これに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。
【００２４】
［管理サーバ２］
管理サーバ２はコンピュータで構成されており、管理サーバ２を構成する各部を制御する制御部、各種情報やユーザの情報、指示を入力する入力操作部（不図示）、及び、各種情報を記憶する記憶装置２１等が設けられている。また記憶装置２１には、放射線撮影を行う患者情報や撮影情報等の撮影オーダ情報が記憶されている。撮影オーダ情報は不図示の病院内の受付端末あるいはコンソール７により入力される。また本実施形態においては、管理サーバ２が「管理手段」として機能させているが、特に管理サーバ２を設けずに、複数のコンソール７のうちでいずれかのコンソール７を管理手段として機能させるようにしてもよい。なお管理手段の機能について、詳細は後述する。
【００２５】
［コンソール７］
図２は、コンソール７の要部構成を示すブロック図である。コンソール７は、図２に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。本実施形態においては、前述のように複数のコンソール７ａ、７ｂ、７ｃがネットワークＮに接続されており、各コンソール７ａ、７ｂ、７ｃそれぞれには識別するための識別情報としてユニークなコンソールＩＤが付されている。
【００２６】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００２７】
入力操作部７８は、例えば、キーボードやマウス等から構成されており、キーボードで押下操作されたキーの押下信号やマウスによる操作信号を入力信号として制御部７４に対して出力するものである。なお、入力操作部７８は、前記表示部７７の表示画面を覆う透明なシートパネルに、指又は専用のスタイラスペンで触れることにより入力される位置情報を入力信号として制御部７４に出力する、いわゆる、タッチパネルにより構成されていてもよい。
【００２８】
また、表示部７７には、入力操作部７８から入力された患者情報、撮影部位等の撮影条件等に基づいて作成された撮影オーダ情報、あるいは管理サーバ２の記憶装置２１に記憶されている撮影オーダ情報が表示される。入力操作部７８は、この撮影オーダ情報の中から撮影を行う患者やその撮影部位等を選択可能となっている。また、コンソール７に対応付けられている放射線画像検出装置６が複数ある場合には、入力操作部７８は、そのうちいずれの放射線画像検出装置６によって撮影を行うかを、当該放射線画像検出装置のそれぞれに付与された識別ＩＤを選択することにより選択可能となっている。これにより、患者をどの放射線画像検出装置６によって撮影するかの設定が行われる。
【００２９】
また、入力操作部７８は、所定操作に基づいて放射線画像検出装置６による検出結果により得られた放射線画像データの転送指示に関する信号を制御部７４に対して出力する。本実施形態においては、撮影によって得られた放射線画像データは、撮影に使用された放射線画像検出装置６と対応付けられ撮影の際に放射線画像検出装置６を操作したコンソール７に転送され、コンソール７の制御部７４において、前記撮影前の設定の際に患者リストから選択された患者の患者情報や撮影情報等と対応付けられ、診断に提供可能か否かが判断される。患者情報や撮影情報等と対応付けられ、診断提供可能と判断された放射線画像データは、必要に応じて記憶部７０に保存される、又は管理サーバ２あるいはその他の外部装置に転送される。
【００３０】
通信部７９によりネットワークＮに接続している各装置と通信する。当該通信部７９によりアクセスポイント５を介して無線ＬＡＮ等の無線通信方式により放射線画像検出装置６との間で各種情報の通信を行う。
【００３１】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３２】
［放射線画像検出装置］
放射線画像検出装置６は、放射線照射装置３から照射されて患者１２を透過した放射線を検出することにより放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテ型ＦＰＤ装置である。
【００３３】
図３は、放射線画像検出装置６の要部構成を示すブロック図である。図３に示すように、放射線画像検出装置６の制御系は、制御部６４、記憶部６０、撮像パネル６３、ＲＡＭ６５、ＲＯＭ６６、電源部６７、無線通信部６９、電波強度測定部６９１等を備え、各部はバス６１により接続されている。
【００３４】
制御部６４は、ＣＰＵ等から構成され、ＲＯＭ６６に記憶されている制御プログラムを読み出してＲＡＭ７５内に形成されたワークエリアに展開し、当該制御プログラムに従って放射線画像検出装置６の各部を制御する。
【００３５】
撮像パネル６３は、例えば、ガラス基板等を有しており、基板上の所定位置には、放射線管球から照射されて被写体を透過した放射線をその強度に応じて検出し、検出した放射線を電気信号に変換して蓄積する複数の画素がマトリクス状に配列されている。
【００３６】
ここで、撮像パネル６３としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電荷に変換する放射線受部を有する放射線電気信号変換層を備える直接型のもの等が挙げられる。なお、間接型のものは直接型のもので用いる高圧電源が不要であるため好ましい。
【００３７】
記憶部６０は、例えばフラッシュメモリ等の不揮発性メモリやＲＡＭから構成され、撮像パネル６３に蓄積された電気信号が読み取られることにより取得された、複数回分の撮影に相当する放射線画像データを記憶可能としている。
【００３８】
無線通信部８３は、ＩＥＥＥ８０２．１１規格に準拠した無線ＬＡＮにより、アクセスポイント５を介して、コンソール７との間で各種情報の無線通信を行うものである。また無線通信部６９に接続されている電波強度測定部６９１では受信した無線通信の電波強度を測定する。そして当該電波強度測定部６９１及び制御部６４が、測定した電波強度と無線通信を行ったアクセスポイント５のＭＡＣアドレス等の識別情報等と、により放射線画像検出装装置６の位置を検出する「位置検出手段」として機能する。
【００３９】
電源部６７は、放射線画像検出装置６を構成する複数の駆動部（制御部６４、撮像パネル６３、記憶部６０等）に電力を供給する。この電源部６７は、例えば予備電池と充電自在な充電池とで構成されており、充電用端子をクレードル（不図示）に接続することにより、充電池を充電することが可能である。
【００４０】
［制御フロー］
ここで、放射線画像撮影システム１における位置情報に基づいて識別ＩＤと撮影オーダ情報をコンソール７へ登録する制御フローについて、図４乃至図８に基づいて説明する。
【００４１】
図４は、本実施形態における放射線画像撮影システムが行う制御フローの説明図である。まず図４のステップＳ１０では、管理サーバ２は撮影オーダ情報をコンソール７に対して送信する。ステップＳ１１では一のコンソール７（例えばコンソールＩＤ：Ｃ０１）において受信した撮影オーダ情報の中から撮影を行う撮影オーダ情報の選択及び登録を行う。
【００４２】
図５は、コンソール７の表示部７７に表示させた撮影オーダ情報リストの一例を示す図である。図５に示すように、各撮影オーダ情報は、患者情報としての「患者ＩＤ」Ｐ２、「患者氏名」Ｐ３、「性別」Ｐ４、「年齢」Ｐ５及び撮影情報としての「診療科」Ｐ６、「撮影部位」Ｐ７、「撮影方向」Ｐ８、「撮影台」Ｐ９を含んで構成されている。そして、オーダを受け付けた順に、それぞれの撮影オーダ情報に対して「撮影オーダＩＤ」Ｐ１が自動的に割り当てられるようになっている。なお、患者情報や撮影情報としては上述したものに限られることなく、例えば、患者の生年月日、診察回数、放射線の線量などの情報を含むようにしても構わない。また、これらの情報を全て含む必要はなく、撮影目的、撮影フローなどに合わせて撮影オーダ情報に含む情報を適宜設定することができる。これらの情報はネットワークＮに接続されているＨＩＳやＲＩＳから取得され管理サーバ２のデータベース２１に記憶されている。そして管理サーバ２にアクセスすることによりコンソール７では図５に示すような撮影オーダ情報を取得する。
【００４３】
そして放射線技師はｈ１２欄のボタンを操作することにより撮影を行う撮影オーダ情報を選択することができる。選択した後に決定ボタンｈ１３を押し下げることにより選択された撮影オーダ情報は登録されて記憶部７０に記憶される。ステップＳ１２では、放射線技師はコンソール７にあらかじめ登録されているカセッテＩＤのうちから撮影に使用する放射線画像検出装置６の選択を行う。
【００４４】
図６は、コンソール７の表示部７７に表示させた撮影オーダ情報とカセッテＩＤとの対応付けを行う設定画面の一例を示す図である。同図は図５の決定ボタンｈ１３を押し下げることにより表示される画面であり、ステップＳ１１で選択した撮影オーダ情報が、図６の表示欄ｈ２２に表示されている。そして当該コンソール７（同図においてはコンソールＩＤ：Ｃ０１）に登録されているカセッテＩＤは表示欄ｈ２１に表示されており、表示欄ｈ２２に表示されている撮影オーダＩＤそれぞれに対して撮影を行うカセッテＩＤを、操作ボタンｈ２５を操作することにより選択可能である。同図に示す例においては撮影オーダＩＤ００１乃至００４の撮影オーダは、カセッテＩＤがＦ０１の放射線画像検出装置６に対応付けられている。そして放射線技師が決定ボタンｈ２３を押し下げることにより対応付けが確定する。なお、一旦この確定操作が行われると、当該確定操作に係る撮影オーダ情報を、他のカセッテＩＤと対応付けることはできないように構成されている。
【００４５】
ステップＳ１３では、制御部７４は管理サーバ２に対して、対応付けられたカセッテＩＤと撮影オーダ情報を一体として送信する。
【００４６】
ステップＳ１４では、管理サーバ２では受信したカセッテＩＤと撮影オーダ情報を対応付けて登録し、記憶装置２１に記憶する。以上までが、撮影オーダ情報の登録を行う流れである。
【００４７】
次に、位置情報に基づいて放射線画像検出装置６をコンソールＩＤへの登録を行うフローについて説明する。ステップＳ２１では、放射線画像検出装置６の制御部６４は位置情報を取得する。位置情報の取得は、当該放射線画像検出装置６がどの撮影室１００に位置しているかを、無線通信部６９が通信を行った（１）アクセスポイント５のＭＡＣアドレス等の識別情報、あるいは（２）当該アクセスポイント５が所属するサブネットワークアドレスを知ることにより判断することができる。なお、複数カ所のアクセルポイント５と同時に通信可能な位置にいる場合であれば、更に、電波強度測定部６９１が測定した電波強度によりいずれかのアクセスポイント５に近いかを判断することにより位置検出を行うようにしてもよい。
【００４８】
ステップＳ２２では、制御部６４は、ステップＳ２１で取得した「位置情報」及び、放射線画像検出装置６の「カセッテＩＤ」を管理サーバ２に送信する。
【００４９】
ステップＳ２３ではコンソールＩＤの特定を行う。コンソールＩＤの特定は、管理サーバ２があらかじめ設定されている参照テーブルを参照することにより、受信した位置情報から当該位置情報に対応するコンソールＩＤ情報を取得する。例えば位置情報が撮影室１の場合はコンソールＩＤがＣ０１のコンソールに、撮影室２の場合であればコンソールＩＤがＣ０２のコンソールにそれぞれ対応している。ステップＳ２４では、ステップＳ１２で取得したコンソールＩＤと、ステップＳ２２で放射線画像検出装置６から送信されたカセッテＩＤとを対応させて登録を行う。
【００５０】
なお、ステップＳ２１乃至ステップＳ２４の制御フローは、例えば数秒の一定周期毎に行っており、放射線画像検出装置６の位置が変化することに応じて、対応するコンソールＩＤの更新を随時行っている。
【００５１】
［位置情報が更新された場合の制御フロー］
ステップＳ２５以降は、放射線画像検出装置６の移動が行われた場合の処理を説明する制御フローである。当該処理について図７を参照して説明する。
【００５２】
図７は、本実施形態における放射線画像撮影システムの撮影オーダ情報の登録の流れを説明する図である。図６に示した状態、つまり放射線画像検出装置６（カセッテＩＤ：Ｆ０１）が撮影室１に存在していた最初の状態においては撮影オーダＩＤ００１乃至ＩＤ００４の撮影オーダ情報は、当該放射線画像検出装置６と対応付けて登録されていた。登録先は参照テーブルにより撮影室１に対応しているコンソール７ａ（コンソールＩＤ：Ｃ０１）である。
【００５３】
次に、放射線技師が、放射線画像検出装置６（カセッテＩＤ：Ｆ０１）を携えて他の撮影室２に移動する（図７の（１）移動）。この場合には、随時行っている図４のステップＳ２１乃至ステップＳ２４の制御フローにより、管理サーバ２では位置情報が変化したことにより対応するコンソールＩＤの更新を行う。図７に示す例においては撮影室２に対応するコンソール７ｂのコンソールＩＤはＣ０２である。
【００５４】
次にステップＳ２５において管理サーバ２は、カセッテＩＤとコンソールＩＤとの対応関係が前回登録した内容と異なると判断した場合（ステップＳ２５：Ｙｅｓ）には、以下の更新登録の制御フローを行う（図７の（２）撮影オーダ情報の更新）。
（１）放射線画像検出装置６（カセッテＩＤ：Ｆ０１）に対して更新したコンソールＩＤ（Ｃ０２）を送信する（ステップＳ２６）。
（２）新たなコンソール７ｂ（コンソールＩＤ：Ｃ０２）に対しては、カセッテＩＤ（Ｆ０１）と、当該カセッテＩＤに対応付けられている撮影オーダＩＤ００１乃至００４（図６の表示欄ｈ２２）を送信する（ステップＳ２７）。
（３）また、更新前のコンソール７ａ（コンソールＩＤ：Ｃ０１）に対しては、登録されている上記（２）の撮影オーダ情報を削除させる指令を送信する。
【００５５】
放射線画像検出装置６（カセッテＩＤ：Ｆ０１）ではステップＳ２６で管理サーバ２から送信されたコンソールＩＤの登録を行い（ステップＳ２８）、コンソール７（コンソールＩＤ：Ｃ０２）ではステップＳ２７で管理サーバ２から送信されたカセッテＩＤ及びこれに対応付けられている撮影オーダ情報を登録する（ステップＳ２９）。以上までが撮影オーダ情報の更新登録に関する制御フローである。
【００５６】
［撮影に関する制御フロー］
図８は、放射線画像撮影システムが行う撮影に関する制御フローの説明図である。図４に示した制御フローに続くものである。
【００５７】
ステップＳ４１では、放射線技師は、放射線画像検出装置６を用いて撮影オーダ情報に沿った撮影を行う。取得した放射線画像データは記憶部６０に記憶される。複数の撮影を行う必要があれば、撮影を繰り返して、複数枚の放射線画像データを取得する。
【００５８】
ステップＳ４２では、放射線技師が送信トリガの指示を発して、当該送信トリガに基づいて放射線画像検出装置６は、ステップＳ２７で登録したコンソールＩＤ（ＣＳ０２）が付与されたコンソール７に、ステップＳ４１で取得した全ての放射線画像データを、自身のカセッテＩＤとともに送信する。なお送信トリガは、例えば放射線技師が放射線画像検出装置６に設けられた操作ボタンを操作することにより発するようにしてもよく、コンソール７の近くに設けられたクレードルに、放射線画像検出装置６を装填することにより送信トリガを自動的に発するようにしてもよい。
【００５９】
放射線画像データを受信したコンソール７（コンソールＩＤ：Ｃ０２）では、撮影を行った順番（記憶部６０に記憶された順番）で放射線画像データを表示部７７に表示する（ステップＳ４３）。また当該放射線画像データとともに送信されたカセッテＩＤと、当該カセッテＩＤに対応するステップＳ２９で登録された撮影オーダ情報も併せて表示部７７に表示させる（ステップＳ４４）。
【００６０】
放射線技師では、表示された放射線画像データと、当該放射線画像データと併せて表示された撮影オーダ情報とを確認する。放射線画像データが撮影オーダ情報と対応する画像であることを確認した上で、両者の対応付けを行い（ステップＳ４５）撮影が終了する。
【００６１】
また対応付けを行った放射線画像データは、コンソール７から管理サーバ２に送信して記憶装置２１に記憶しておくようにしてもよい。
【００６２】
なお、本実施形態においてはステップＳ２１乃至ステップＳ２４の制御フローは、一定周期で適宜行っている旨の説明を行ったが、これに限られず、「ステップＳ４１における取得した一の放射線画像データを記憶部６０に記憶させる毎」に行うようにしてもよい。このことにより位置情報の検出及び当該位置情報の送信回数を少なくすることができるので、電源部６７の充電池の寿命を延命させることができる。
【００６３】
本実施形態によれば、可搬型のＦＰＤを用いる放射線画像撮影システムにおいて、撮影室間を移動しても撮影により取得した放射線画像データとコンソールとの対応付けを容易に行い、ひいては撮影オーダ情報と放射線画像データとの対応付けを容易に行うことが可能な放射線画像撮影システムを提供することが可能となる。
【００６４】
［他の実施形態］
図９は、他の実施形態における放射線画像撮影システムが行う制御フローの説明図である。同図に示す制御フローにおいては、放射線画像検出装置６の位置の移動に伴い対応付けるコンソール７の更新を行うが、撮影オーダ情報の更新は省略させているものである。また他の実施形態における放射線画像撮影システムは、本体の構成は図１乃至図３に示したものと共通する。また図９に示す制御フローにおいては図４又は図８に示した制御フローと共通するステップに関しては同符号を付すことにより説明は省略する。
【００６５】
ステップＳ２３０では、放射線画像検出装置６から受信した位置情報からセル領域を判断する。ここで「セル領域」とは、複数のアクセスポイント５のうちのいずれかと、放射線画像検出装置６の無線通信部６９とで無線通信可能な地理的領域を分割したものである。図１に示す例においては、撮影室１００ａ、撮影室１００ｂ、撮影室１００ｃを包含する領域が「放射線画像撮影システムで無線通信可能な地理的領域」であり、撮影室１００ａ、撮影室１００ｂ、撮影室１００ｃが「セル領域」である。
【００６６】
ステップＳ２３０で、管理サーバ２が放射線画像検出装置６の位置情報が、例えば撮影室１００ａに対応するセル領域であると判断した場合には、ステップＳ２３１で当該セル領域に関連づけているコンソールＩＤ（図１に示す例では、ＣＳ０１）を取得する。
【００６７】
そしてステップＳ２４では、ステップＳ２２で送信されたカセッテＩＤとステップＳ２３１で取得したコンソールＩＤとを対応させて登録を行う。なおこの際に前回の登録情報と同一であれば実質的には同じ情報が維持されることになる。
【００６８】
ステップＳ２６乃至ステップＳ４３は図４等に示した制御フローと同一であり説明は省略する。ステップＳ４４０では、放射線技師がコンソール７の入力操作部７８を操作することにより、管理サーバ２の記憶装置２１に記憶されている撮影オーダ情報を送信してもらうことにより撮影オーダ情報を取得する。
【００６９】
コンソール７の制御部７４は、ステップＳ４４０で取得した撮影オーダ情報と、ステップＳ４１で取得した放射線画像データとを表示部７７に一覧表示させる。そしてステップＳ４５０では、放射線技師は、入力操作部７８を操作することにより撮影オーダ情報と画像データとの対応付けを行って終了する。
【００７０】
本実施形態によれば、可搬型のＦＰＤを用いる放射線画像撮影システムにおいて、撮影室間を移動しても撮影により取得した放射線画像データとコンソールとの対応付けを容易に行い、ひいては撮影オーダ情報と放射線画像データとの対応付けを容易に行うことが可能な放射線画像撮影システムを提供することが可能となる。
【００７１】
なお、上記実施例では、撮影室を移動した場合、撮影オーダ情報を最初に登録しておいたコンソール７から削除すると共に、新たなコンソール７へ追加登録するようにしたが、各コンソール７には共通に撮影オーダ情報を表示しておき、一の放射線技師が００１〜００４の撮影オーダＩＤを選択していた場合、各コンソール７には図５の画面が表示されるようにすると、他の放射線技師が同一の撮影オーダに重複して取り掛かることを防止でき好ましい。この場合においては、前記の放射線技師が撮影室を移動し、新たなコンソール７と前記００１〜００４の撮影オーダＩＤを対応付ける場合には、放射線画像検出装置６には新たなコンソール７への画像データの送信が指示される。そして当該新たなコンソールでのみ診断画像（確定画像）の判断と管理サーバ２等の外部への送信指示を行えるようにし、前記００１〜００４の撮影オーダＩＤを他のコンソール７では判断及び外部送信不可となるようにシステムを制御しても良い。
【図面の簡単な説明】
【００７２】
【図１】本実施形態における放射線画像撮影システム１の概略構成を示す図である。
【図２】コンソール７の要部構成を示すブロック図である。
【図３】放射線画像検出装置６の要部構成を示すブロック図である。
【図４】本実施形態における放射線画像撮影システムが行う制御フローの説明図である。
【図５】コンソール７の表示部７７に表示させた撮影オーダ情報リストの一例を示す図である。
【図６】コンソール７の表示部７７に表示させた撮影オーダ情報とカセッテＩＤとの対応付けを行う設定画面の一例を示す図である。
【図７】本実施形態における放射線画像撮影システムの撮影オーダ情報の登録の流れを説明する図である。
【図８】放射線画像撮影システムが行う撮影に関する制御フローの説明図である。
【図９】他の実施形態における放射線画像撮影システムが行う制御フローの説明図である。
【符号の説明】
【００７３】
２  管理サーバ
２１  記憶装置
３  放射線撮影装置
４  撮影操作装置
５  アクセスポイント
６  放射線画像検出装置
６０  記憶部
６３  撮像パネル
６４  制御部
６７  電源部
６８  モード切替部
６９  無線通信部
７ａ、７ｂ、７ｃ  コンソール
７０  記憶部
７４  制御部
７７  表示部
７８  入力操作部
１００ａ、１００ｂ、１００ｃ  撮影室
Ｎ  ネットワーク
【図１】
2009204671.tif 000003
【図２】
2009204671.tif 000004
【図３】
2009204671.tif 000005
【図４】
2009204671.tif 000006
【図５】
2009204671.tif 000007
【図６】
2009204671.tif 000008
【図７】
2009204671.tif 000009
【図８】
2009204671.tif 000010
【図９】
2009204671.tif 000011